【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、フィールドバスまたはプロフィバスプロトコルに従って前記２線式ループ上で通信するように前記２線式ループへ連結可能であり、前記ループに出力を与えるように構成されたループ通信機と、
前記ループ通信機と電力モジュールへ連結されたコントローラと、
前記コントローラへ動作上連結され、少なくとも第１のセンサへ連結するように構成されて該センサの出力を受けるように構成された第１のチャンネルと、
前記コントローラへ動作上連結され、第２のセンサへ連結するように構成されて第２のセンサの出力を受けるように構成された第２のチャンネルとを備え、
前記第１および第２のチャンネルは、互いにかつ前記２線式ループから実質的に電気絶縁されている２線式現場取付け可能なプロセス装置。
【請求項２】前記第１のセンサは第１のタイプであり、前記第２のセンサは第２のタイプであり、前記第１のタイプと第２のタイプは異なる請求項１のプロセス装置。
【請求項３】前記第１のタイプが熱電対と抵抗温度装置を含むセンサ群から選択された請求項２のプロセス装置。
【請求項４】前記第１のチャンネルと前記コントローラへ動作上連結され、前記第１のチャンネルからのアナログ信号を第１の変換レートで少なくとも１つのデジタル値に変換し、該デジタル信号を前記コントローラに伝達する第１のアナログ―デジタル変換器と、
前記第２のチャンネルと前記コントローラへ動作上連結され、前記第２のチャンネルからのアナログ信号を第２の変換レートで少なくとも１つのデジタル値に変換し、該デジタル信号を前記コントローラに伝達する第２のアナログ―デジタル変換器とを更に備え、前記第１と第２の変換レートは異なる請求項１のプロセス装置。
【請求項５】前記第１の変換レートは、前記第１のセンサのタイプに関連する請求項４のプロセス装置。
【請求項６】前記第２の変換レートは、前記第２のセンサのタイプに関連する請求項４のプロセス装置。
【請求項７】前記第１のチャンネルへ連結されたマルチプレクサと、
前記マルチプレクサを通して前記第１のチャンネルと動作上連結され、前記コントローラと動作上接続され、前記第１のセンサからのアナログ信号を少なくとも１つのデジタル値に変換し、該デジタル信号を前記コントローラに伝達するように構成されたアナログ―デジタル変換器とを更に備えた請求項１のプロセス装置。
【請求項８】前記コントローラはプログラムに従って動作する請求項１のプロセス装置。
【請求項９】前記プログラムは変更可能である請求項８のプロセス装置。
【請求項１０】前記プログラムは前記２線式ループを通して前記プロセス装置にアクセスすることによって変更可能である請求項９のプロセス装置。
【請求項１１】前記プログラムはセンサの出力を前記プロセス装置の出力に関連付ける請求項８のプロセス装置。
【請求項１２】前記コントローラはセンサの出力に基づいてプロセス変数を計算する請求項１のプロセス装置。
【請求項１３】前記プロセス装置は、ＤＩＮ標準に従うものである請求項１のプロセス装置。
【請求項１４】前記プロセス装置は、本質的な安全仕様に従う請求項１のプロセス装置。
【請求項１５】前記コントローラへ動作上連結され、第３のセンサに連結するように構成されて第３のセンサの出力を受けるように構成された第３のチャンネルを備えた請求項１のプロセス装置。
【請求項１６】前記第１、第２または第３のチャンネルを選択的に前記コントローラに連結するように構成されたマルチプレクサを備えた請求項１５のプロセス装置。
【請求項１７】前記マルチプレクサの出力と前記コントローラに連結され、前記コントローラにデジタル信号を与えるように構成されたアナログ−デジタル変換器を備えた請求項１６のプロセス装置。
【請求項１８】前記ループ通信機は絶縁回路を備えた請求項１のプロセス装置。
【請求項１９】前記電力モジュールは前記第１および第２のチャンネルの回路を付勢するように構成された請求項１のプロセス装置。
【請求項２０】２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、前記２線式ループ上で通信するように前記２線式ループへ連結可能なループ通信機と、
コントローラと、
少なくとも第１のセンサへ連結するように構成されて第１のセンサからの情報を受けるように構成された第１のセンサターミナルと、
第２のセンサへ連結するように構成されて第２のセンサからの情報を受けるように構成された第２のセンサターミナルと、
第３のセンサへ連結するように構成されて第３のセンサからの情報を受けるように構成された第３のセンサターミナルと、
前記第１のセンサセンサターミナルまたは第２のセンサセンサターミナルまたは第３のセンサセンサターミナルを選択的に前記コントローラに連結するように構成されたマルチプレクサと、
前記マルチプレクサの出力に連結され、前記コントローラの入力に連結されて、コントローラにデジタル信号を与えるように構成されたアナログ−デジタル変換器とを備え、
前記ループ通信機からの前記２線式ループ上の出力が、第１、第２または第３のセンサからの情報の少なくとも１つに関連し、
少なくとも前記第１および第２のセンサターミナルは、互いに他からかつ前記２線式ループから実質的に電気絶縁されており、前記第３のセンサターミナルは、互いに他からかつ前記２線式ループから実質的に電気絶縁されている２線式現場取付け可能なプロセス装置。
【請求項２１】前記第１のセンサは第１のタイプであり、前記第２のセンサは第２のタイプであり、前記第１のタイプと第２のタイプは異なる請求項２０のプロセス装置。
【請求項２２】前記第１のセンサは、熱電対と抵抗温度装置を含むセンサ群から選択された請求項２０のプロセス装置。
【請求項２３】前記第２のセンサターミナルと前記コントローラへ動作上連結された第２のアナログ−デジタル変換器を備えた請求項２０のプロセス装置。
【請求項２４】前記コントローラはプログラムに従って動作する請求項２０のプロセス装置。
【請求項２５】前記プログラムは変更可能である請求項２４のプロセス装置。
【請求項２６】前記プログラムは前記２線式ループを通して前記プロセス装置にアクセスすることによって変更可能である請求項２５のプロセス装置。
【請求項２７】前記プログラムはセンサからの情報を前記プロセス装置の出力に関連付ける請求項２４のプロセス装置。
【請求項２８】前記コントローラはセンサからの情報に基づいてプロセス変数を計算する請求項２４のプロセス装置。
【請求項２９】前記プロセス装置は、ＤＩＮ標準に従うものである請求項２０のプロセス装置。
【請求項３０】前記プロセス装置は、本質的な安全仕様に従う請求項２０のプロセス装置。
【請求項３１】前記ループ通信機は絶縁回路を備えた請求項２０のプロセス装置。
【請求項３２】前記電力モジュールは前記第１のセンサターミナルの回路と前記第２のセンサターミナルの回路と第３のセンサターミナルの回路を付勢するように構成された請求項２０のプロセス装置。
【請求項３３】前記第１および第３のセンサターミナルを含む第１のチャンネルを備えた請求項２０のプロセス装置。
【請求項３４】前記第２のセンサターミナルを含む第２のチャンネルを備えた請求項２０のプロセス装置。
【請求項３５】２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、前記２線式ループ上で通信するように前記２線式ループへ連結可能なループ通信機と、
前記ループ通信機と前記電力モジュールへ連結されたコントローラと、
前記コントローラへ動作上連結され、少なくとも第１のセンサへ連結するように構成されて第１のセンサが示す値を受けるように構成された第１のチャンネルと、
前記コントローラへ動作上連結され、第２のセンサへ連結するように構成されて第２のセンサが示す値を受けるように構成された第２のチャンネルとを備え、
前記第１および第２のチャンネルは、互いに実質的に電気絶縁されており、
前記第１のチャンネルの回路と前記第２のチャンネルの回路は、前記電力モジュールで付勢される２線式現場取付け可能なプロセス装置。
【請求項３６】第３のセンサへ連結するように構成されて第３のセンサからの情報を受けるように構成された第３のチャンネルを備えた請求項３５のプロセス装置。
【請求項３７】前記第１、第２、または第３のチャンネルを選択的に前記コントローラに連結するように構成されたマルチプレクサを備えた請求項３６のプロセス装置。
【請求項３８】前記マルチプレクサの出力と前記コントローラに連結され、前記コントローラにデジタル信号を与えるように構成されたアナログ−デジタル変換器を備えた請求項３７のプロセス装置。
【請求項３９】前記電力モジュールは前記第３のチャンネルの回路を付勢するように構成された請求項３６のプロセス装置。
【請求項４０】前記電力モジュールは前記第１のチャンネルの回路と前記第２のチャンネルの回路を同時に付勢するように構成された請求項３６のプロセス装置。